(57)【要約】音声による問い合わせの受付システムであり、問い合わせ者からの音声による問い合わせを受付可能な複数の受付台装置と、複数の受付台装置とＬＡＮを介して接続され、問い合わせに応答した受付台装置の受付者と問い合わせ者との通話に係る音声データを含む音声パケットを当該受付台装置との間でＬＡＮを介して送受信するＶｏＩＰゲートウェイ装置と、各受付台装置に入力された音声データを各受付台装置から受信して時分割多重し、各受付台装置に並列に分配する音声多重ＨＵＢ装置とを含む。
2004075520.tif 000002
【特許請求の範囲】
【請求項１】
問い合わせ者からの音声による問い合わせを受付可能な複数の受付台装置と、
前記複数の受付台装置とＬＡＮを介して接続され、前記問い合わせに応答した受付台装置の受付者と前記問い合わせ者との通話に係る音声データを含む音声パケットを当該受付台装置との間で前記ＬＡＮを介して送受信するＶｏＩＰゲートウェイ装置と、
各受付台装置に入力された音声データを各受付台装置から受信して時分割多重し、各受付台装置に並列に分配する音声多重ＨＵＢ装置と
を含む音声による問い合わせの受付システム。
【請求項２】
前記各受付台装置は、制御装置と、音声ミキシング／分配装置と、音声出力部と、音声入力部とを含み、
前記制御装置は、前記ＶｏＩＰゲートウェイ装置から受信する音声パケットに含まれた問い合わせ者の音声を前記音声ミキシング／分配装置に与えるとともに、前記問い合わせ者に送信すべき音声として前記音声ミキシング／分配装置から受け取る音声を含む音声パケットを生成して前記ＶｏＩＰゲートウェイ装置に送信し、
前記音声ミキシング／分配装置は、
前記音声出力部から出力すべき音声として、前記問い合わせ者の音声に係る音声データと、前記音声多重ＨＵＢ装置から入力される他の受付台装置の音声データとの少なくとも一方を選択して出力する受話音声選択手段と、
前記問い合わせ者に送信すべき音声として、前記音声入力部から入力される前記受付者の音声データと、前記音声多重ＨＵＢ装置から入力される他の受付台装置の音声データとの少なくとも一方を選択して出力する送話音声選択手段と、
前記音声多重ＨＵＢ装置へ送出すべき音声として、前記問い合わせ者の音声に係る音声データと、前記音声入力部から入力される前記受付者の音声データとの少なくとも一方を選択して出力する転送音声選択手段とを含む
請求項１記載の音声による問い合わせの受付システム。
【請求項３】
前記制御装置は、前記受話音声選択手段，前記送話音声選択手段，および前記転送音声選択手段のそれぞれにおける音声データの選択および出力処理を制御する
請求項２記載の音声による問い合わせの受付システム。
【請求項４】
各受付台装置の制御装置は、前記問い合わせ者からの着信に対する応答指示が入力された場合に、前記転送音声選択手段が前記問い合わせ者の音声に係る音声データ，および前記音声入力部から入力される前記受付者の音声データを選択して前記音声多重ＨＵＢ装置に出力するように制御する
請求項３記載の音声による問い合わせの受付システム。
【請求項５】
各受付台装置の制御装置は、他の受付台装置に入力される音声の監視指示が入力された場合に、前記受話音声選択手段が前記音声多重ＨＵＢ装置から受け取る当該他の受付台装置の音声データを選択して出力するように制御する
請求項４記載の音声による問い合わせの受付システム。
【請求項６】
各受付台装置の制御装置は、他の受付台装置における通話の一方に対する割込指示が入力された場合に、この他の受付台装置の制御装置に対し、割込に係る制御データを含むパケットを前記ＬＡＮを介して送信し、
前記他の受付台装置の制御装置は、前記パケットに含まれた制御データに基づいて、当該他の受付台装置の受話音声選択手段が前記問い合わせ者の音声に係る音声データ，および前記音声多重ＨＵＢ装置から受け取る割込元の受付台装置の音声データを選択して出力するように制御する
請求項４または５記載の音声による問い合わせの受付システム。
【請求項７】
各受付台装置の制御装置は、他の受付台装置における通話の双方に対する割込指示が入力された場合に、この他の受付台装置の制御装置に対し、この割込に係る制御データを含むパケットを前記ＬＡＮを介して送信し、
前記他の受付台装置の制御装置は、前記パケットに含まれた制御データに基づいて、当該他の受付台装置の受話音声選択手段が前記問い合わせ者の音声に係る音声データ，および前記音声多重ＨＵＢ装置から受け取る割込元の受付台装置の音声データを選択して出力するように制御するとともに、当該他の受付台装置の送話音声選択手段が前記音声入力部から入力される音声データ，および前記音声多重ＨＵＢ装置から受け取る割込元の受付台装置の音声データを選択して出力するように制御する
請求項４または５記載の音声による問い合わせの受付システム。
【請求項８】
前記ＬＡＮは、パケットを伝送可能なデータ系回線を介して前記受付台装置と同様の構成を持つ１以上の第２の受付台装置を収容する第２のＬＡＮに接続されており、
前記第２の受付台装置は、前記音声多重ＨＵＢ装置からアナログ回線を通じて伝送される前記各受付台装置の音声データが時分割多重されたデータを受け取り、
前記各受付台装置の制御装置は、支援要求が入力された場合に、支援要求に係るデータを含むパケットを前記第２の受付台装置の制御装置に前記データ系回線を介して送信し、
前記第２の受付台装置の制御装置は、前記支援要求に対する応答指示が入力された場合に、当該第２の受付台装置の受話音声選択手段が前記時分割多重されたデータから支援要求元の受付台装置の音声データを選択して出力するように制御する
請求項４記載の音声による問い合わせの受付システム。
【請求項９】
前記第２の受付台装置の制御装置は、支援先の受付台装置における通話の一方に対する割込指示が入力された場合に、この支援先の受付台装置の制御装置に対し、割込に係る制御データを含むパケットを前記データ系回線を介して送信し、
前記第２の受付台装置の音声ミキシング／分配装置は自身に入力された割込音声の音声データを出力し、この割込音声の音声データは前記アナログ回線を介して前記音声多重ＨＵＢ装置に入力され、前記音声多重ＨＵＢ装置はこの割込音声の音声データを前記支援先の受付台装置に入力し、
前記支援先の受付台装置の制御装置は、前記パケットに含まれた制御データに基づいて、当該支援先の受付台装置の受話音声選択手段が前記問い合わせ者の音声に係る音声データ，および前記音声多重ＨＵＢ装置から受け取る前記割込音声の音声データを選択して出力するようにを制御する
請求項８記載の音声による問い合わせの受付システム。
【請求項１０】
前記第２の受付台装置の制御装置は、支援先の受付台装置における通話の双方に対する割込指示が入力された場合に、この支援先の受付台装置の制御装置に、割込に係る制御データを含むパケットを前記データ系回線を介して送信し、
前記第２の受付台装置の音声ミキシング／分配装置は、自身に入力された割込音声の音声データを出力し、この割込音声の音声データは、前記アナログ回線を介して前記音声多重ＨＵＢ装置に入力され、前記音声多重ＨＵＢ装置は、この割込音声の音声データを前記支援先の受付台装置に入力し、
前記支援先の受付台装置の制御装置は、前記パケットに含まれた制御データに基づいて、当該支援先の受付台装置の受話音声選択手段が前記問い合わせ者の音声に係る音声データ，および前記音声多重ＨＵＢ装置から受け取る前記割込音声の音声データを選択して出力するように制御するとともに、当該支援先の受付台装置の送話音声選択手段が前記音声入力部から入力される音声データ，および前記音声多重ＨＵＢ装置から受け取る前記割込音声の音声データを選択して出力するように制御する
請求項８記載の音声による問い合わせの受付システム。
【請求項１１】
前記ＬＡＮは、パケットを伝送可能なデータ系回線を介して前記受付台装置と同様の構成を持つ１以上の第２の受付台装置を収容する第２のＬＡＮに接続されており、
前記各受付台装置の制御装置は、支援要求が入力された場合に、支援要求に係るデータを含むパケットを前記第２の受付台装置の制御装置に前記データ系回線を介して送信するとともに、この支援要求に応答する第２の受付台装置へ監視対象の音声を含む音声パケットを前記データ系回線を通じて転送し、
前記第２の受付台装置は、前記支援要求に応答する場合には、この支援要求元の受付台装置から受信する音声パケットに含まれた監視対象の音声をこの第２の受付台装置に含まれる音声出力部から出力する
請求項４記載の音声による問い合わせの受付システム。
【請求項１２】
前記第２の受付台装置は、支援先の受付台装置における通話の一方に対する割込指示が入力された場合に、この支援先の受付台装置の制御装置に対し、割込に係る制御データを含むパケットを前記データ系回線を介して送信し、この第２の受付台装置に含まれる音声入力部から入力される割込音声を含む音声パケットを前記データ系回線を介して前記支援先の受付台装置の制御装置に送信し、
前記支援先の受付台装置は、前記割込に係る制御データに基づいて、前記音声パケットに含まれた割込音声を音声出力部から出力する
請求項１１記載の音声による問い合わせの受付システム。
【請求項１３】
前記第２の受付台装置は、支援先の受付台装置における通話の双方に対する割込指示が入力された場合に、この支援先の受付台装置の制御装置に、割込に係る制御データを含むパケットを前記データ系回線を介して送信し、この第２の受付台装置に含まれる音声入力部から入力される割込音声を含む音声パケットを前記データ系回線を介して前記支援先の受付台装置に送信し、
前記支援先の受付台装置は、前記割込に係る制御データに基づいて、前記音声パケットに含まれた割込音声を音声出力部から出力するとともに、割込音声を問い合わせ者へ向けて送信する
請求項１１記載の音声による問い合わせの受付システム。
【請求項１４】
前記支援先の受付台装置の音声ミキシング／分配装置は、問い合わせ者の音声に係る音声データ，および受付者の音声データを選択して出力可能な第２の送話音声選択手段をさらに含み、
前記支援先の受付台装置の制御装置は、支援要求に対する応答を前記第２の受付台装置から受け取った場合に、前記第２の送話音声選択手段が問い合わせ者の音声データおよび受付者の音声データを選択して出力するように制御するとともに、当該音声ミキシング／分配装置から受け取る問い合わせ者の音声および／または受付者の音声を含む音声パケットを生成して前記第２の受付台装置に送信する、
請求項１１記載の音声による問い合わせの受付システム。
【請求項１５】
前記支援先の受付台装置の音声ミキシング／分配装置は、前記第２の受付台装置からの音声パケットに含まれた割込音声の音声データが入力され、この割込音声の音声データを選択して出力可能な第２の受話音声選択手段をさらに含み、
前記支援先の受付台装置の制御装置は、前記割込に係る制御データを含むパケットを受信した場合に、この割込に係る制御データに基づいて、前記第２の受話音声選択手段が割込音声の音声データを選択して前記音声出力部へ出力するように制御する
請求項１２記載の音声による問い合わせの受付システム。
【請求項１６】
前記支援先の受付台装置の音声ミキシング／分配装置は、前記第２の受付台装置からの音声パケットに含まれた割込音声の音声データが入力され、この割込音声の音声データを選択して出力可能な第２の受話音声選択手段をさらに含み、
前記支援先の受付台装置の制御装置は、前記割込に係る制御データを含むパケットを受信した場合に、この割込に係る制御データに基づいて、前記第２の受話音声選択手段が割込音声の音声データを選択して前記音声出力部へ出力するように制御するとともに、前記送話音声選択手段が自身に入力される割込音声の音声データを選択して出力するように制御する
請求項１３記載の音声による問い合わせの受付システム。
【発明の詳細な説明】
【技術分野】  本発明は、音声による問い合わせを受け付けるシステムに関する。
【背景技術】  音声による問い合わせを受け付ける受付システムとして、消防署（電話番号：１１９番）や警察署（電話番号：１１０番）への通報システム、様々な問い合わせ者からの質問を受け付けるコールセンタ、住民等からの質問を受け付ける自治体ネットワークシステム等がある。
消防や警察への通報受付システムは、例えば、Ｆｉｇ．１０に示すように構成されている。すなわち、キャリア網（電話網）に接続される緊急通報受付トランクと、これに接続された交換機が設置され、交換機に複数の受付台が接続されている。通報者から電話による通報があると、交換機を介して各受付台に通報者の着信が通知される。受付台の何れかが通報に応答すると、この受付台と通報者との間で通話（音声通信）が行われる。各受付台は、他の受付台における通話をモニタ（監視）したり、その通話に割り込んだりすることができる。
指令センタは、出張所と二つの専用回線を介して接続されている。一方の専用回線は、交換機に接続され、指令センタからの音声（受付台からの指令音声）等を出張所に伝達するための音声系回線として使用される。他方の専用回線は、指令センタにおける各受付台を収容するＬＡＮ（Ｌｏｃａｌ  Ａｒｅａ  Ｎｅｔｗｏｒｋ）にルータを介して接続され、出動車輌データ、災害現場地点等のデータ系の情報を出張所に伝達するためのデータ系回線として使用される。
Ｆｉｇ．１０に示すシステムにおいて、各受付台が他の受付台における通話をモニタしたり、割り込んだりするためには、通話音声（通報者および受付者の各音声）を他の受付台に転送したり、割込音声を他の受付台に転送する必要がある。このようなモニタ機能や割込機能は、全て交換機により実現されている。
Ｆｉｇ．１０に示すようなシステムでは、音声の転送処理が交換機により行われる。このため、音声の遅延がなく高品質である。但し、交換機（ＭＤＦ（Ｍａｉｎ  Ｄｉｓｔｒｉｂｕｔｉｏｎ  Ｆｒａｍｅ：主配線盤）への接続端子を含む）が大きいため、設置スペースがかなり必要になるという短所がある。また、指令センタから各出張所に接続している指令回線として、データ系回線と音声系回線との二つの回線を専用線として使用している。このため、通信費（回線使用料）が高くなる。また、出張所等を新規に増設するなどの拡張が難しい。
上記した問題に鑑み、交換機システムの代わりに、ＩＰ（Ｉｎｔｅｒｎｅｔ  Ｐｒｏｔｏｃｏｌ）およびＬＡＮを用いることが考えられている。Ｆｉｇ．１１は、交換機システムの代わりにＩＰシステムを受付システムに適用した例を示す図である。
Ｆｉｇ．１１に示す受付システムは、Ｆｉｇ．１０に示す緊急通報受付トランク、交換機および受付台の代わりに、キャリアの電話網に接続されるＶｏＩＰゲートウェイ装置と、受付台毎に用意され、ＶｏＩＰゲートウェイ装置にＬＡＮを介して接続される受付台用のＰＣ（パーソナルコンピュータ）で構成される。
Ｆｉｇ．１１における各受付台では、Ｆｉｇ．１０に示したシステムと同様に、通報の受付（応答）、通話のモニタ、割込等の機能を実現することができる。そして、上記した機能を実現するにあたって必要な音声（通話音声、モニタ用音声、割込音声）の伝送は、ＶｏＩＰ（Ｖｏｉｃｅ  ｏｖｅｒ  ＩＰ）技術を用い、音声パケットをＬＡＮを介して転送することにより実現される。
したがって、受付台間は、データ系と音声系の双方について、ＬＡＮを用いて通信を行うことができる。さらに、音声がＶｏＩＰ技術によりＩＰデータとして扱われる。これによって、指令センタと出張所とをデータ系と音声ＶｏＩＰとが統合された１つの専用回線で接続すれば、データと音声の双方を指令センタと出張所との間で送受信することができる。
Ｆｉｇ．１１に示すシステムによれば、指令センタと出張所とを結ぶ指令回線が１回線となる。このため、通信費（回線使用料）を抑えることができる。また、各受付台の操作端末としてＰＣが用いられる。これによって、高度情報化社会が進むなかで高度なアプリケーションサービスの実現が容易で且つ拡張カードなどにより容易に機能を拡張することができる。また、交換機を用いたシステムに比べて、システムの構成機器が小さい。このため、設置スペースが少なくて済む。さらに、各装置間の接続もモジュラコネクタ同士の接続となる。したがって、ＭＤＦの設置スペースも不要となる。
なお、本願発明に関連する先行技術として、例えば、特許文献１に開示された電話回線装置がある。
【特許文献１】      特開２０００−６９５１２号公報
Ｆｉｇ．１０に示す交換機を用いたシステムでは、交換機を導入するためのコストが高い。また、広い設置スペースが必要である。また、指令センタと出張所とを結ぶ回線の通信費がかかる。
一方、Ｆｉｇ．１１に示すようなシステム構成では、次のような問題がある。第１に、Ｆｉｇ．１１に示すシステムでは、指令センタにおける受付台間の通信（データ系および音声系の双方）が全てＬＡＮを介して行われる。例えば、或る受付台で他の受付台における通話をモニタする場合には、他の受付台のＰＣで通話音声を含む音声パケットが生成され、モニタを行う受付台のＰＣにＬＡＮを介して転送される。また、或る受付台での通話に他の受付台が割り込む場合には、割込先の受付台のＰＣに割込音声を含む音声パケットが転送される。このように、Ｆｉｇ．１１に示すシステムでは、指令センタのＬＡＮ上で多数の音声パケットが伝送される。このため、ＬＡＮ上のトラフィックが多大となり、輻輳が発生し、パケットの遅延を招来する可能性がある。音声通信は品質が重視されるため、このような可能性は回避する必要がある。
第２に、ＶｏＩＰ技術では、音声パケットの生成にあたり、音声データの圧縮符号化およびパケット化（音声パケットの生成）が必須である。このため、音声の転送には、遅延や揺らぎが発生する。したがって、或る受付台で隣接する受付台の音声をモニタする場合において、隣接受付台においてオペレータの声が発せられると、そのオペレータの声（ＬＡＮを介して隣接受付台から転送されてきた音声）が当該受付台で遅れて出力されるといった現象が発生する可能性があった。この場合、モニタを行っているオペレータには、同じ声が時間をずらして聞こえるため、その内容を適正に聞き取れない可能性がある。消防や警察の指令センタでは、通話の内容が緊急性を要することが多い。このため、上記現象の発生は回避されなければならない。
【発明の開示】
本発明の目的は、音声の遅延を回避することができる音声による問い合わせの受付システムを提供することである。
また、本発明の目的は、受付台装置間を結ぶＬＡＮの輻輳の発生を抑えることができる受付システムを提供することである。
また、本発明の目的は、遠隔から受付システムにおける通話の監視や割込を可能とする受付システムを提供することである。
本発明は、上記目的を達成するため、以下の構成を採用する。
すなわち、本発明は、音声による問い合わせの受付システムであり、
問い合わせ者からの音声による問い合わせを受付可能な複数の受付台装置と、
前記複数の受付台装置とＬＡＮを介して接続され、前記問い合わせに応答した受付台装置の受付者と前記問い合わせ者との通話に係る音声データを含む音声パケットを当該受付台装置との間で前記ＬＡＮを介して送受信するＶｏＩＰゲートウェイ装置と、
各受付台装置に入力された音声データを各受付台装置から受信して時分割多重し、各受付台装置に並列に分配する音声多重ＨＵＢ装置と、を含む。
本発明によると、受付台装置に入力される音声データは、ＬＡＮではなく音声多重ＨＵＢ装置を介して他の受付台装置に分配される。これによって、ＬＡＮ上を流れるパケットのデータ量を抑えることができる。また、各受付台装置に入力される音声データは、パケット化されることなく時分割多重されて他の受付台装置に分配される。これによって、音声の遅延を抑えることができる。
本発明は、各受付台装置が、制御装置と、音声ミキシング／分配装置と、音声出力部と、音声入力部とを含み、
前記制御装置は、前記ＶｏＩＰゲートウェイ装置から受信する音声パケットに含まれた問い合わせ者の音声を前記音声ミキシング／分配装置に与えるとともに、前記問い合わせ者に送信すべき音声として前記音声ミキシング／分配装置から受け取る音声を含む音声パケットを生成して前記ＶｏＩＰゲートウェイ装置に送信し、
前記音声ミキシング／分配装置が、
前記音声出力部から出力すべき音声として、前記問い合わせ者の音声に係る音声データと、前記音声多重ＨＵＢ装置から入力される他の受付台装置の音声データとの少なくとも一方を選択して出力する受話音声選択手段と、
前記問い合わせ者に送信すべき音声として、前記音声入力部から入力される前記受付者の音声データと、前記音声多重ＨＵＢ装置から入力される他の受付台装置の音声データとの少なくとも一方を選択して出力する送話音声選択手段と、
前記音声多重ＨＵＢ装置へ送出すべき音声として、前記問い合わせ者の音声に係る音声データと、前記音声入力部から入力される前記受付者の音声データとの少なくとも一方を選択して出力する転送音声選択手段とを含む構成を適用することができる。
このような構成によれば、各受付台装置は、どの音声データを音声多重ＨＵＢ装置に送出することができる。また、各受付台装置は、音声多重ＨＵＢ装置を介して受信する複数の受付台装置の各音声から、所望の音声を選択して出力することができる。
また、本発明は、各受付台装置の制御装置が、前記受話音声選択手段，前記送話音声選択手段，および前記転送音声選択手段のそれぞれにおける音声データの選択および出力処理を制御する構成を適用することができる。
また、本発明は、各受付台装置の制御装置が、前記問い合わせ者からの着信に対する応答指示が入力された場合に、前記転送音声選択手段が前記問い合わせ者の音声に係る音声データ，および前記音声入力部から入力される前記受付者の音声データを選択して前記音声多重ＨＵＢ装置に出力するように制御する構成を適用することができる。
このようにすると、各受付台装置において、問い合わせ者からの着信に対する応答を契機として、問い合わせ者と受付者との通話（会話）に係る音声を転送音声選択手段が音声多重ＨＵＢ装置に送出し、他の受付台装置に転送することができる。
また、本発明は、各受付台装置の制御装置が、他の受付台装置に入力される音声の監視指示が入力された場合に、前記受話音声選択手段が前記音声多重ＨＵＢ装置から受け取る当該他の受付台装置の音声データを選択して出力するように制御する構成を適用することができる。
このようにすると、各受付台装置は、監視指示を契機として、他の受付台装置の監視用の音声を受話音声選択手段で選択及び出力し、音声出力部から出力することが可能となる。
また、本発明は、各受付台装置の制御装置が、他の受付台装置における通話の一方に対する割込指示が入力された場合に、この他の受付台装置の制御装置に対し、割込に係る制御データを含むパケットを前記ＬＡＮを介して送信し、
前記他の受付台装置の制御装置が、前記パケットに含まれた制御データに基づいて、当該他の受付台装置の受話音声選択手段が前記問い合わせ者の音声に係る音声データ，および前記音声多重ＨＵＢ装置から受け取る割込元の受付台装置の音声データを選択して出力するように制御する構成を適用することができる。
このような構成では、各受付台装置は、他の受付台装置に対して、割込に係る制御データをＬＡＮを介して送信することができる。また、各受付台装置は、割込に係る制御データに基づいて、受話音声選択手段で割込音声を選択及び出力し、音声出力部から出力することができる。
また、本発明は、各受付台装置の制御装置が、他の受付台装置における通話の双方に対する割込指示が入力された場合に、この他の受付台装置の制御装置に対し、この割込に係る制御データを含むパケットを前記ＬＡＮを介して送信し、
前記他の受付台装置の制御装置が、前記パケットに含まれた制御データに基づいて、当該他の受付台装置の受話音声選択手段が前記問い合わせ者の音声に係る音声データ，および前記音声多重ＨＵＢ装置から受け取る割込元の受付台装置の音声データを選択して出力するように制御するとともに、当該他の受付台装置の送話音声選択手段が前記音声入力部から入力される音声データ，および前記音声多重ＨＵＢ装置から受け取る割込元の受付台装置の音声データを選択して出力するように制御する構成を適用することができる。
このような構成では、各受付台装置は、他の受付台装置に対して、割込に係る制御データをＬＡＮを介して送信することができる。また、各受付台装置は、割込に係る制御データに基づいて、受話及び受話音声選択手段で割込音声を選択及び出力し、音声出力部から出力するとともに、問い合わせ者に伝達することができる。
また、本発明は、前記ＬＡＮが、パケットを伝送可能なデータ系回線を介して前記受付台装置と同様の構成を持つ１以上の第２の受付台装置を収容する第２のＬＡＮに接続されており、
前記第２の受付台装置が、前記音声多重ＨＵＢ装置からアナログ回線を通じて伝送される前記各受付台装置の音声データが時分割多重されたデータを受け取り、
前記各受付台装置の制御装置が、支援要求が入力された場合に、支援要求に係るデータを含むパケットを前記第２の受付台装置の制御装置に前記データ系回線を介して送信し、
前記第２の受付台装置の制御装置が、前記支援要求に対する応答指示が入力された場合に、当該第２の受付台装置の受話音声選択手段が前記時分割多重されたデータから支援要求元の受付台装置の音声データを選択して出力するように制御する構成を適用することができる。
このような構成では、第２の受付台装置は、受付台装置の遠隔に設置されていても、各受付台装置の音声を受け取り、監視することができる。また、各受付台装置の音声が、アナログ回線を介して第２の受付台装置に送信されるので、ＬＡＮのパケットデータ量の増加が抑えられる。
また、本発明は、前記第２の受付台装置の制御装置が、支援先の受付台装置における通話の一方に対する割込指示が入力された場合に、この支援先の受付台装置の制御装置に対し、割込に係る制御データを含むパケットを前記データ系回線を介して送信し、
前記第２の受付台装置の音声ミキシング／分配装置は自身に入力された割込音声の音声データを出力し、この割込音声の音声データは前記アナログ回線を介して前記音声多重ＨＵＢ装置に入力され、前記音声多重ＨＵＢ装置はこの割込音声の音声データを前記支援先の受付台装置に入力し、
前記支援先の受付台装置の制御装置が、前記パケットに含まれた制御データに基づいて、当該支援先の受付台装置の受話音声選択手段が前記問い合わせ者の音声に係る音声データ，および前記音声多重ＨＵＢ装置から受け取る前記割込音声の音声データを選択して出力するように制御する構成を適用することができる。
このような構成では、割込に係る制御データをデータ系の回線で支援先の受付台装置に送信することができる。また、割込音声はアナログ回線を介して支援先の受付台装置に転送することができる。
また、本発明は、前記第２の受付台装置の制御装置が、支援先の受付台装置における通話の双方に対する割込指示が入力された場合に、この支援先の受付台装置の制御装置に、割込に係る制御データを含むパケットを前記データ系回線を介して送信し、
前記第２の受付台装置の音声ミキシング／分配装置が、自身に入力された割込音声の音声データを出力し、この割込音声の音声データは、前記アナログ回線を介して前記音声多重ＨＵＢ装置に入力され、前記音声多重ＨＵＢ装置は、この割込音声の音声データを前記支援先の受付台装置に入力し、
前記支援先の受付台装置の制御装置が、前記パケットに含まれた制御データに基づいて、当該支援先の受付台装置の受話音声選択手段が前記問い合わせ者の音声に係る音声データ，および前記音声多重ＨＵＢ装置から受け取る前記割込音声の音声データを選択して出力するように制御するとともに、当該支援先の受付台装置の送話音声選択手段が前記音声入力部から入力される音声データ，および前記音声多重ＨＵＢ装置から受け取る前記割込音声の音声データを選択して出力するように制御する構成を適用することができる。
このような構成では、割込に係る制御データをデータ系の回線で支援先の受付台装置に送信することができる。また、割込音声はアナログ回線を介して支援先の受付台装置に転送することができる。また、問い合わせ者と受付者の双方に割込音声を伝達することができる。
また、本発明は、前記ＬＡＮが、パケットを伝送可能なデータ系回線を介して前記受付台装置と同様の構成を持つ１以上の第２の受付台装置を収容する第２のＬＡＮに接続されており、
前記各受付台装置の制御装置が、支援要求が入力された場合に、支援要求に係るデータを含むパケットを前記第２の受付台装置の制御装置に前記データ系回線を介して送信するとともに、この支援要求に応答する第２の受付台装置へ監視対象の音声を含む音声パケットを前記データ系回線を通じて転送し、
前記第２の受付台装置が、前記支援要求に応答する場合には、この支援要求元の受付台装置から受信する音声パケットに含まれた監視対象の音声をこの第２の受付台装置に含まれる音声出力部から出力する構成を適用することができる。
このような構成では、第２の受付台装置は、受付台装置の遠隔に設置されていても、各受付台装置の音声を受け取り、監視することができる。また、監視用の音声は、ＬＡＮを含むデータ系回線を用いて第２の受付台装置に転送される。このため、各受付台装置と第２の受付台装置とを結ぶ回線を、ＬＡＮを含むデータ系回線のみで構成することができる（音声用の回線を別に用意しなくて済む）。
また、本発明は、前記第２の受付台装置が、支援先の受付台装置における通話の一方に対する割込指示が入力された場合に、この支援先の受付台装置の制御装置に対し、割込に係る制御データを含むパケットを前記データ系回線を介して送信し、この第２の受付台装置に含まれる音声入力部から入力される割込音声を含む音声パケットを前記データ系回線を介して前記支援先の受付台装置の制御装置に送信し、
前記支援先の受付台装置が、前記割込に係る制御データに基づいて、前記音声パケットに含まれた割込音声を音声出力部から出力する構成を適用することができる。
また、本発明は、前記第２の受付台装置が、支援先の受付台装置における通話の双方に対する割込指示が入力された場合に、この支援先の受付台装置の制御装置に、割込に係る制御データを含むパケットを前記データ系回線を介して送信し、この第２の受付台装置に含まれる音声入力部から入力される割込音声を含む音声パケットを前記データ系回線を介して前記支援先の受付台装置に送信し、
前記支援先の受付台装置が、前記割込に係る制御データに基づいて、前記音声パケットに含まれた割込音声を音声出力部から出力するとともに、割込音声を問い合わせ者へ向けて送信する構成を適用することができる。
また、本発明は、前記支援先の受付台装置の音声ミキシング／分配装置が、問い合わせ者の音声に係る音声データ，および受付者の音声データを選択して出力可能な第２の送話音声選択手段をさらに含み、
前記支援先の受付台装置の制御装置が、支援要求に対する応答を前記第２の受付台装置から受け取った場合に、前記第２の送話音声選択手段が問い合わせ者の音声データおよび受付者の音声データを選択して出力するように制御するとともに、当該音声ミキシング／分配装置から受け取る問い合わせ者の音声および／または受付者の音声を含む音声パケットを生成して前記第２の受付台装置に送信する、構成を適用することができる。
また、本発明は、前記支援先の受付台装置の音声ミキシング／分配装置が、前記第２の受付台装置からの音声パケットに含まれた割込音声の音声データが入力され、この割込音声の音声データを選択して出力可能な第２の受話音声選択手段をさらに含み、
前記支援先の受付台装置の制御装置が、前記割込に係る制御データを含むパケットを受信した場合に、この割込に係る制御データに基づいて、前記第２の受話音声選択手段が割込音声の音声データを選択して前記音声出力部へ出力するように制御する構成を適用することができる。
また、本発明は、前記支援先の受付台装置の音声ミキシング／分配装置が、前記第２の受付台装置からの音声パケットに含まれた割込音声の音声データが入力され、この割込音声の音声データを選択して出力可能な第２の受話音声選択手段をさらに含み、
前記支援先の受付台装置の制御装置が、前記割込に係る制御データを含むパケットを受信した場合に、この割込に係る制御データに基づいて、前記第２の受話音声選択手段が割込音声の音声データを選択して前記音声出力部へ出力するように制御するとともに、前記送話音声選択手段が自身に入力される割込音声の音声データを選択して出力するように制御する構成を適用することができる。
【図面の簡単な説明】  Ｆｉｇ．１は、本発明の実施例１に係る受付システムの構成例を示す図であり；
Ｆｉｇ．２は、Ｆｉｇ．１に示した受付台装置の構成例を示す図であり；
Ｆｉｇ．３は、Ｆｉｇ．１に示した受付台装置のＬＣＤ（受付操作部）の表示例を示す図であり；
Ｆｉｇ．４は、Ｆｉｇ．１に示した音声多重ＨＵＢ装置の機能説明図（タイミングチャート）であり；
Ｆｉｇ．５Ａ，５Ｂ，５Ｃ，５Ｄ，５Ｅは、Ｆｉｇ．１に示した音声ミキシング／分配装置のミキシング制御方式の例を示す説明図であり；
Ｆｉｇ．６は、実施例２のシステム構成例を示す図であり；
Ｆｉｇ．７は、実施例２における音声多重ＨＵＢ装置の構成例を示す図であり；
Ｆｉｇ．８は、実施例３のシステム構成例を示す図であり；
Ｆｉｇ．９は、実施例３における受付台装置の構成例を示す図であり；
Ｆｉｇ．１０は、従来技術の説明図であり；
Ｆｉｇ．１１は、従来技術の説明図である。
【発明を実施するための最良の形態】  以下、図面を参照して本発明を実施するための最良の形態を説明する。実施の形態の構成は例示であり、本発明は実施の形態の構成に限定されない。
〔概要〕
本発明の実施形態は、従来の問題点を解決する為、下記の仕組みを追加する。
（１）隣接する他受付台の通話モニタや通話割込の音声はＬＡＮ（ＶｏＩＰ）経由で行わず、音声遅延の無いＴＤＭ処理で行う仕組みを追加する。
（２）ＶｏＩＰデータと時分割多重化（ＴＤＭ：Ｔｉｍｅ  Ｄｉｖｉｓｉｏｎ  Ｍｕｌｔｉｐｌｅｘｉｎｇ）したデータの音声を自由に合成（ミキシング／分配）できる仕組みを追加する。
（３）全受付台の音声データ（通話内容を含む）を多重化し、全受付台に多重化したＴＤＭデータを並列に出力する仕組みを追加する。
（４）電話局（キャリア）経由の通話音声（ＶｏＩＰ）と制御データ（ＴＤＭミキシングポイント設定やキャリア網の呼接続データ）は高度なアプリケーションサービス（着信／応答／再呼／転送／保留／通話録音再生）を提供できるように、ＬＡＮ経由で通信を行う仕組みを追加する。
（５）上述した仕組みは、音声ミキシング／分配装置と音声多重ＨＵＢ（ＴＤＭ）装置と受付台（「指令台」ともいう）用のＰＣとＬＡＮで実現し、システム構成を簡素化して実現する。
【実施例１】  Ｆｉｇ．１は、実施例１に係る受付システムの構成例を示す図である。Ｆｉｇ．１には、外部から電話網（キャリア網）を介して消防や警察等の緊急通報を受け付ける指令センタに設置される受付システムが示されている。
指令センタは、キャリア網から伝達される通報者からの音声通報を受け付けるための複数（ｎ個（ｎは１以上の整数）：Ｆｉｇ．１ではｎ＝３０（＃１〜＃３０））の受付台を備えている。各受付台のオペレータは、通報者からの通報を受付者として受け付ける（応答する）ことができる。また、各受付台のオペレータは、他の受付台における通話をモニタしたり、その通話に割り込んだりすることができる。割込には、或る受付台のオペレータが他の受付台における通報者と受付者との通話に対し、受付者側にのみ割り込む「扱者割込（受付者割込）」と、通報者と受付者との双方に割り込む「両者割込」とがある。さらに、各受付台のオペレータは、指令センタとデータ系回線を通じて接続されている出張所に対し、通話に基づく指示等を連絡することもできる。
出張所は、指令センタのＬＡＮ１１に接続されたルータ１２と専用回線（データ，音声ＶｏＩＰ統合）１３を介して接続されるルータ１４と、ルータ１４に接続される出張所用ＰＣ１５と、出張所用ＰＣ１５に接続されるＬＣＤ（受付操作部）１６と、出張所ＰＣ１５に接続されるアンプ１７と、アンプ１７に接続されるスピーカ１８とを備えている。このような構成によって、出張所では、ＰＣ１５が指令センタからの指示音声を含む音声パケットをルータ１４を介して受信し、音声パケットに含まれた音声がアンプ１７で増幅されスピーカ１８から出力される。このようにして、出張所の署員は、指令センタからの指示を聞くことができる。
指令センタにおける受付システムは、キャリアの電話網に接続されるＶｏＩＰゲートウェイ装置（「ＶｏＩＰ−ＧＷ」とも表記）１０と、受付台毎に用意された受付台装置２０（２０＃１〜２０＃ｎ）と、音声多重ＨＵＢ装置（ＴＤＭ）３０とを備えている。
各受付台装置２０は、それぞれ同様の構成を有している。各受付台装置２０は、ＬＡＮ１１を介してＶｏＩＰゲートウェイ装置１０に接続される制御装置としての受付台用のコンピュータ（受付台用ＰＣ）２１（以下、「ＰＣ２１」と表記）と、ＰＣ２１に接続され受付操作部として機能する液晶ディスプレイ（ＬＣＤ）２２と、ＰＣ２１および音声多重ＨＵＢ装置３０に接続される音声ミキシング／分配装置２３と、音声ミキシング／分配装置３０に接続されたブレスト（ヘッドセット）２４とを備えている。
ブレスト２４は、受付者（受付台のオペレータ）が通報者（問い合わせ者）等と会話を行うために頭部に装着する送受話器である。ブレスト２４は、耳部に配置される受話部（スピーカ：音声出力部）２４Ａと、口部に配置される送話部（マイク：音声入力部）２４Ｂとを有している。
音声ミキシング／分配装置２３は、ＰＣ２１からの制御情報に基づいて、ブレスト２４からの音声（受付者等の音声），音声多重ＨＵＢ装置３０からの音声（他受付台の音声），ＰＣ２１からの音声（通報者の音声）をミキシングおよび分配する。すなわち、音声ミキシング／分配装置２３は、通報者（ＶｏＩＰ−ＧＷ１０）の音声を受付者へ出力する。このとき、通報者の音声は、サウンドカード（ＰＣ２１内蔵：Ｆｉｇ．２）→音声ミキシング分配装置２３→ブレスト２４のルートで伝達される。また、音声ミキシング／分配装置２３は、受付者の音声を通報者へ出力する。このとき、受付者の音声は、ブレスト２４→音声ミキシング／分配装置２３→受付台用ＰＣ内蔵サウンドカード→ＶｏＩＰゲートウェイ装置１０のルートで伝達される。
音声多重ＨＵＢ装置３０は、各受付台の音声ミキシング／分配装置２３から音声データをそれぞれ受信し、少なくともｎ個（全ての受付台分）用意されたタイムスロット（例えば、受付台毎に１ｃｈ（チャネル）が用意される）で、全受付台の音声データを時分割多重（ＴＤＭ）する。また、音声多重ＨＵＢ装置３０は、時分割多重された音声データを全受付台の音声ミキシング／分配装置２３へ並列に出力する。
ＰＣ２１およびＬＣＤ２２は、ＶｏＩＰ（通報者−受付者）で通信される通話音声と、音声ミキシング／分配装置２３で音声加算される加算用の音声データとを制御する。また、ＰＣ２１およびＬＣＤ２２は、ＴＣＰ／ＩＰで制御通信される１１９番（消防署）や１１０番（警察署）への着信、応答、再呼、切断機能および釦操作情報の通知や釦表示を制御する機能も持つ。
ＶｏＩＰゲートウェイ装置１０は、キャリア網（電話網）と受付台用ＰＣ２１のインターフェイス装置とを結び、キャリア網の緊急通報回線（１１９／１１０番等）への着信を検出し、全てのＰＣ２１へＬＡＮ１１を通じて通知する。また、ＶｏＩＰゲートウェイ装置１０は、各受付台の再呼び出し（リダイヤル）機能（キャリアの加入者（通報者）が切断を行った場合、受付台からリンガー呼び出しを行う機能）／復旧操作によりキャリアの緊急通報回線に再呼／切断信号を送出する機能を有する。また、ＶｏＩＰゲートウェイ装置１０は、通報者からの音声に係る音声信号または音声データを受信してその音声を含む音声パケットを生成し特定の受付台にＬＡＮ１１を介して転送する機能、ＬＡＮ１１から受信した音声パケットを音声データ又は音声信号に変換して通報者へ向けて送出する機能を持つ。
〔詳細構成〕
Ｆｉｇ．２は、Ｆｉｇ．１に示した受付台装置２０の詳細な構成例を示す図である。Ｆｉｇ．２に示すように、ＰＣ２１は、ＶｏＩＰゲートウェイ装置１０が接続されたＬＡＮ１１を収容するＬＡＮインターフェイスと、ＬＣＤ２２と接続するためのインターフェイスとを有している。
ＰＣ２１は、図示しないが、ＣＰＵ等のプロセッサ、主記憶装置、補助記憶装置等を持つ。プロセッサが補助記憶装置に記憶された様々なプログラムを実行することによって、ＶｏＩＰ−ＧＷ１０を介した通報者からの呼制御や、ＶｏＩＰ−ＧＷ１０との間でＬＡＮを介して音声パケットを送受信する機能を実現する。
また、ＰＣ２１は、ＬＡＮ１１からの音声パケットに含まれた音声データを音声信号（アナログ）に変換して出力したり、外部から入力される音声信号（アナログ）を音声データに変換したりするためのサウンドカード２１Ａを備えている。このように、ＰＣ２１は、ＶｏＩＰ端末（ＩＰ電話端末）として機能する。
ＬＣＤ２２は、複数の釦を持つタッチパネルとして構成されており、呼制御、通話モニタ、割込等の機能を実現するための、Ｆｉｇ．３に示すようなユーザ・インターフェイスを実現する。
Ｆｉｇ．３に示す表示例では、ＬＣＤ２２は、ユーザ・インターフェイスとして、受付台（指令台）毎に用意されたモニタ釦と、「扱者割込」釦と、「両者割込」釦と、緊急番号（この例では１１９番）に対する複数の回線釦とを備えている。また、ＬＣＤ２２は、回線操作部として、「救援要求」釦と、「遠隔救援要求」釦と、「１１９番受付」釦と、「再呼び」釦と、「切断」釦とを備えている。各釦は、点灯、点滅、消灯、表示色等により、各釦に割り当てられた機能に係る状態を示すように構成されている。各釦の機能は次の通りである。
各モニタ釦は、他の受付台の通話のモニタ操作を行うための釦群である。各モニタ釦は、消灯状態で「未使用」（モニタされていない）状態を示す。点滅中（１２０ＩＮＴ）では、その釦に対応する受付台が救援を要求していること（「救援要求中」）を示す。点滅中に当該釦が押されると「モニタ中」を示す連続点灯状態となる。連続点灯状態で当該釦が押されると、「モニタ解除（未使用）」状態となり、消灯状態に戻る。
扱者割込釦は、他の受付台における通話の受付者側へ割り込むための釦である。扱者割込釦は、消灯状態で「未使用」を示す。「モニタ中」で当該釦が押されると、連続点灯状態に遷移する。この連続点灯状態は「扱者割込中」を示す。「扱者割込中」で当該釦が押されると、「扱者割込解除」となり、消灯状態に遷移する。
両者割込釦は、他の受付台における通話の双方へ割り込むための釦である。両者割込釦は、消灯状態で「未使用」を示す。「モニタ中」で当該釦が押されると、連続点灯状態に遷移する。この連続点灯状態は「両者割込中」を示す。「両者割込中」で当該釦が押されると、「両者割込解除」となり、消灯状態に遷移する。
各回線釦は、地域ｙ（この例ではｙ＝Ａ〜Ｇ）毎に用意された複数の（ｍ（ｍ本の）回線（ｍは１以上の整数：この例ではｍ＝１〜４）に対する緊急通報（１１９番）の着信に対する操作を行うための釦である。当該釦は、消灯状態で「空き（未着信）」を示す。当該釦が赤色点滅している状態は、その釦に対応する回線に通報が着信している状態（「１１９番着信中」）を示す。赤色点滅中の当該釦または１１９番受付釦が押されると、当該着信に応答したことになり、「通話中」を示す赤色連続点灯状態となる。赤色連続点灯状態で切断釦が押されると、「切断」となり消灯状態に遷移する。また、当該釦が黄色で点灯している状態は、他の受付台で通話中であることを示す。
救援要求釦は、指令センタ内の他の受付台に救援（支援）を求める場合に使用される。消灯状態で「未使用」を示す。消灯状態で当該釦が押されると、点灯状態に遷移する。点灯状態は「救援要求中」を示す。或る受付台で救援要求釦が点灯している間は、他の受付台のＬＣＤにおいて、当該受付台に対応するモニタ釦が点滅状態となる。なお、他の受付台が救援要求を受け付けると、自動的に消灯する。
遠隔救援釦は、遠隔（指令センタ外）に存する他の受付台に救援（支援）を要求する場合に使用される。遠隔救援釦は、消灯状態で「未使用」を示す。消灯状態で当該釦が押されると、点灯状態となる。点灯状態は「救援要求中」を示す。このとき、遠隔に存する救援要求先の他の受付台（後述）のＬＣＤにおいて、当該受付台に対応するモニタ釦が点滅状態となる。なお、他の受付台が救援要求を受け付けると、自動的に消灯する。
１１９番受付釦は、通報の着信に応答する（受け付ける）ための釦である。消灯状態で「未使用」を示す。点滅状態（１２０ＩＮＴ）は、点滅している回線釦に対応する回線に通報が着信していることを示す。点灯状態は、「通話中」を示す。なお、点灯状態で切断釦が押されると消灯状態に遷移する。
再呼び釦は、受付者が通報者を呼び出す場合に使用される。再呼び釦は、消灯状態で「未使用」を示す。通話を通報者よりも先に切断した場合において、当該釦が押されると、通報者に対する発信が行われ、通報者を呼び出すことができる。再呼び釦は、押している間のみ点灯し、押し下げを止めると消灯する。
切断釦は、通話を切断するために使用される。「通話中」において、切断釦が押されると、通報者との通話が受付者側から切断される。
なお、受付台装置を操作するための装置の構成は、既存の様々なものを適用することが可能である。
ＰＣ２１（のプロセッサ）は、インターフェイスを介して音声ミキシング／分配装置２３のマイクロコンピュータ（処理部：制御手段）４８に接続されている。また、サウンドカード２１Ａの音声信号の入力部および出力部は、インターフェイスを介して音声ミキシング／分配装置２３に接続されている。
音声ミキシング／分配装置２３は、サウンドカード２１Ａの音声出力部とインターフェイスを介して接続されるＡ／Ｄ変換部（ＰＣＭコーデック）４１と、Ａ／Ｄ変換部４１に接続される受話音声加算部４２（受話音声選択手段）と、受話音声加算部４２に接続されるＡ／Ｄ変換部（ＰＣＭコーデック）４３とを備えており、Ａ／Ｄ変換部４３は、インターフェイスを介してブレスト２４の受話部２４Ａに接続されている。
Ａ／Ｄ変換部４１は、サウンドカード２１Ａからの音声信号（アナログ）をＰＣＭ（Ｐｕｌｓｅ  Ｃｏｄｅ  Ｍｏｄｕｌａｔｉｏｎ）データ（「音声データ」ともいう）に変換する。受話音声加算部４２は、Ａ／Ｄ変換部４１から入力される音声データと、音声多重ＨＵＢ装置３０から入力される音声データとに対する加算処理（選択および出力）を行う。Ａ／Ｄ変換部４３は、受話音声加算部４２からの音声データを音声信号（アナログ）に変換し、受話部２４Ａへ出力する。
以上の構成によって、ＰＣ２１（ＶｏＩＰ−ＧＷ１０）からの音声（通報者の音声）が上記した各部を通って受話部２４Ａから出力される。また、受話部２４Ａは、受話音声加算部４２で加算される音声多重ＨＵＢ装置３０からの音声（他の受付台からのモニタ又は割込音声）を出力することもできる。
また、音声ミキシング／分配装置２３は、ブレスト２４の送話部２４Ｂとインターフェイスを介して接続されるＡ／Ｄ変換部（ＰＣＭコーデック）４４と、Ａ／Ｄ変換部４４に接続される送話音声加算部４５（送話音声選択手段）と、送話音声加算部４５に接続されるＡ／Ｄ変換部（ＰＣＭコーデック）４６とを備えており、Ａ／Ｄ変換部４６は、インターフェイスを介してサウンドカード２１Ａの音声入力部に接続されている。
Ａ／Ｄ変換部４４は、送話部２４Ｂから入力される音声信号（アナログ）をＰＣＭデータ（音声データ）に変換する。送話音声加算部４５は、Ａ／Ｄ変換部４４から入力される音声データと、音声多重ＨＵＢ装置３０から入力される音声データとに対する加算処理（選択および出力）を行う。Ａ／Ｄ変換部４６は、送話音声加算部４５からＰＣＭデータを音声信号（アナログ）に変換しサウンドカード２１Ａの音声入力部へ出力する。
これによって、送話部２４Ｂから入力された音声（受付者の音声）は、上記の各部を通ってサウンドカード２１Ａに入力され、ＰＣ２１において当該音声を含む音声パケットが生成され、ＬＡＮ１１を介してＶｏＩＰ−ＧＷ１０へ送出される。ＶｏＩＰ−ＧＷ１０は、音声パケットを音声データに変換してキャリア網へ送出する。このようにして、受付者の音声が通報者へ伝達される。このとき、送話音声加算部４５が音声多重ＨＵＢ装置３０からのＰＣＭ信号（他の受付台からの割り込み音声）を加算した場合には、この割り込み音声も受付者の音声と同様に通報者へ伝達される。
さらに、音声ミキシング／分配装置２３は、Ａ／Ｄ変換部４１およびＡ／Ｄ変換部４４からのＰＣＭ信号が入力されるＨＵＢ音声加算部４７（転送音声選択手段）を備えている。ＨＵＢ音声加算部４７は、Ａ／Ｄ変換部４１およびＡ／Ｄ変換部４４のそれぞれから入力されるＰＣＭ信号（音声データ）を入力順でそのまま（垂れ流しで）、音声多重ＨＵＢ装置３０に送出する。
音声多重ＨＵＢ装置３０は、各受付台の音声ミキシング／分配装置２３とインターフェイスを介して接続されている。音声多重ＨＵＢ装置３０は、各音声ミキシング／分配装置２３から出力される音声データ（ＰＣＭ信号）を受信して時分割多重化する音声多重部３１と、時分割多重化された音声データ（以下、「ＴＤＭデータ」と呼ぶこともある）を各音声ミキシング／分配装置２３へ分配送出する分配部３２とを備えている。
Ｆｉｇ．４は、音声多重ＨＵＢ装置３０の機能説明図である。Ｆｉｇ．４に示すように、音声多重ＨＵＢ装置３０は、少なくとも自身が収容する受付台装置毎（全受付台分）のチャネル（タイムスロット（ＴＳ））を用意している。音声多重部３１は、各受付台の音声ミキシング／分配装置２３から入力される音声データを、各受付台に割り当てられたタイムスロット（チャネル）にそれぞれ格納する。このようにして、音声多重部３１は、各受付台からの音声データを時分割多重する。分配部３２は、時分割多重された音声データ（ＴＤＭデータ）を全ての受付台に並列に出力する。各受付台へ分配されたＴＤＭデータ（各受付台の音声データ）は、上述したように、受話音声加算部４２および送話音声加算部４５に入力される。このように、音声多重ＨＵＢ装置３０は、全受付台の音声データを時分割多重して各受付台装置２０に並列に与える。これによって、各受付台装置２０（の音声ミキシング／分配装置２３）には、他の受付台からの音声データ（モニタまたは割込用の音声データ）が殆ど遅延無く与えられる。そして、音声ミキシング／分配装置２３に入力される他の受付台からの音声に対する出力を制御することで、遅延無くモニタや割込用の音声をブレスト２４から出力することができる。
また、音声ミキシング／分配装置２３のマイクロコンピュータ４８は、制御バスを介して受話音声加算部４２，送話音声加算部４５，ＨＵＢ音声加算部４７に接続されている。マイクロコンピュータ４８は、ＰＣ２１からの指示（制御情報）に従って、受話音声加算部４２，送話音声加算部４５における通報者の音声データ，受付者の音声データ，および音声多重ＨＵＢ装置３０からの音声データに対する加算処理（選択および出力）を制御する。また、マイクロコンピュータ４８は、ＰＣ２１からの指示（制御情報）に従って、ＨＵＢ音声加算部４７における加算処理（音声多重ＨＵＢ装置３０に対する音声データの送出処理）を制御する。
各受付台用ＰＣ２１は、ＬＣＤ２２の操作内容に従って生成される音声ミキシング／分配装置２３の制御データをマイクロコンピュータ４８に与える。マイクロコンピュータ４８は、制御情報に従って、加算処理を制御する。
具体的に説明すると、音声ミキシング／分配装置２３は、例えば、Ｆｉｇ．５Ａに示すような加算制御用のフラグ管理テーブルを有している。フラグ管理テーブルは、受付台毎に用意される小テーブルの集合で構成されている。各小テーブルは、当該受付台における送話音声加算部４５，受話音声加算部４２，およびＨＵＢ音声加算部４７に対する通報者の音声データ，受付者の音声データ，および各受付台（＃１〜＃３０）の音声データの加算／不可算（ＯＦＦ（０または空欄）＝不可算，ＯＮ（１または○）＝加算）を示すフラグを格納する。但し、Ｆｉｇ．５において、斜線が引かれている部分は、該当するフラグがないことを示す。
例えば、Ｆｉｇ．５Ａでは、受付台＃１の小テーブルにおいて、ＨＵＢ音声加算部４７に対する受付者のフラグがオンとなっており、通報者のフラグがオフとなっている。これは、受付台＃１のＨＵＢ音声加算部４７が送話部２４Ｂ（Ａ／Ｄ変換部４４）からの音声データを加算（音声多重ＨＵＢ装置３０へ出力）し、サウンドカード２１Ａ（Ａ／Ｄ変換部４１）からの音声データを加算しない（音声多重ＨＵＢ装置３０へ出力しない）ことを示す。
また、Ｆｉｇ．５Ａでは、受付台＃１の小テーブルにおいて、送話音声加算部４５に対する通報者のフラグがオフとなっており、受話音声加算部４２に対する通報者のフラグがオフになっている。これは、受話音声加算部４２が通報者（サウンドカード２１Ａ）からの音声を加算しない（受話部２４Ａに出力しない）ことを示すとともに、送話音声加算部４５が受付者（送話部２４Ｂ）からの音声を加算しない（サウンドカード２１Ａに出力しない）ことを示す。
さらに、Ｆｉｇ．５Ａでは、受付台＃１の小テーブルにおいて、受話音声加算部４２および送話音声加算部４５に対する各受付台のフラグが全てオフとなっている。これは、受付台＃１の受話音声加算部４２および送話音声加算部４５において、音声多重ＨＵＢ装置３０からの音声データ（割込音声）を加算しないことを示す。
これに対し、上述したフラグがオンになっている場合には、対応する加算部で、通報者，受付者，受付台の音声が加算される。
各ＰＣ２１は、ＬＣＤ２２の操作に基づいて、通報者および受付者のフラグのオン／オフに係る制御情報（「加算情報」と表記することもある）を制御データとしてマイクロコンピュータ４８に与える。また、各ＰＣ２１は、送信側のＬＣＤ２２の操作に基づく制御パケット（割込に係る制御データを含む）をＬＡＮを介して受信し、制御パケットに含まれた制御情報（加算情報）をマイクロコンピュータ４８に与える。そして、マイクロコンピュータ４８は、ＰＣ２１から受信した制御情報に従ってフラグのオン／オフ制御、すなわち各加算部４２，４５，４７による加算処理を制御する。
なお、上記したフラグのオン／オフ制御は、マイクロコンピュータ４８で行うように構成することができる。或いは、マイクロコンピュータ４８が制御情報を各加算部４２，４５，４７に通知し、各加算部４２，４５，４７が小テーブルに示すような状態となるように自身の加算処理を行うように構成することもできる。また、各受付台装置２０は、上述した全ての受付台に係るフラグ管理テーブルを持つように構成することができる。或いは、自身に対応する小テーブルのみを有するように構成することもできる。もっとも、本発明において、上述したようなフラグ管理テーブルを持つことは必須の要件ではなく、フラグ管理テーブルに示されるような加算制御および処理が各受付台のＰＣ２１および音声ミキシング／分配装置２３で実行されるように構成されていれば良い。
以上説明したように、各受付台装置２０は、次のような機能を持つ。
〈１〉音声ミキシング／分配装置２３の送話音声加算部４５が、受付者の送話音声（送話部２４Ｂからの音声）と、多重された他の受付台の通話内容（音声多重ＨＵＢ装置３０からの音声）を音声加算して、通報者側（ＰＣ２１のサウンドカード２１Ａ）へ出力する。
〈２〉音声ミキシング／分配装置２３の受話音声加算部４２が、通報者側（ＰＣ２１のサウンドカード２１Ａ）からの音声と、多重された他の受付台の通話内容（音声多重ＨＵＢ装置３０からの音声）とを音声加算し、受付者（受話部２４Ａ）へ出力する。
〈３〉音声ミキシング／分配装置２３のＨＵＢ音声加算部４７が、受付者の送話音声（送話部２４Ｂからの音声）と、通報者側（ＰＣ２１のサウンドカード２１Ａ）の音声に対する加算処理を行い、音声多重ＨＵＢ装置３０へ出力する。
〈４〉音声ミキシングにおいて、他受付台からの両者割込情報は、ＰＣ２１がＬＡＮ経由で送受信し、受信側の受付台の音声ミキシング／分配装置２３に内蔵されたマイクロコンピュータ４８が、制御手段として、当該両者割込情報に基づいて送話音声加算部４５を制御する。
〈５〉音声ミキシングにおいて、他受付台からの両者割込情報または受付者割込情報（受付者のみへの割込情報）は、受付台用ＰＣ２１がＬＡＮ経由で送受信し、受信側の受付台の音声ミキシング／分配装置２３に内蔵されたマイクロコンピュータ４８が、制御手段として、当該割込情報に基づいて受話音声加算部４２を制御する。
〈６〉音声ミキシングにおいて、音声ミキシング／分配装置２３のマイクロコンピュータ４８が、制御手段として、受付台用ＰＣ２１からの制御情報に基づいてＨＵＢ音声加算部４７を制御する。
〈７〉Ｆｉｇ．４のタイミングチャートに示すように、音声多重ＨＵＢ装置３０は、各受付台の音声（または通話音声）を音声ミキシング／分配装置２３から受信したデータ（各受付台１ｃｈ）を時分割多重化する。
〈８〉Ｆｉｇ．４のタイミングチャートに示すように、音声多重ＨＵＢ装置３０は、ｎ個の受付台分の音声データを時分割多重したＴＤＭデータを全ての受付台の音声ミキシング分配装置へ並列に（パラレルで）出力する。
〔動作例〕
次に、実施例１における受付システムの動作例について説明する。
〈動作例１〉消防署（１１９番）への通報
動作例１として、通報者から消防署に対する緊急回線通報（緊急電話番号：１１９番）があり、例えば受付台＃１で通報に応答する場合の動作例について説明する。なお、他の受付台で応答が行われる場合でも、同様の動作が行われる。
指令センタの全受付台における各ＰＣ２１は、通報者（ＶｏＩＰゲートウェイ装置１０）からの着信を検出すると、ＬＣＤ２２に対して着信表示（該当する回線釦の点滅表示）を行う。このとき、着信ブザーを鳴動させることもできる。
ここで、受付台＃１のオペレータが受付者として着信に応答する場合を考える。受付台＃１のオペレータは、着信中を示す（点滅している）回線釦を押下（指でタッチ）する。すると、受付台＃１のＰＣ２１がＶｏＩＰゲートウェイ装置１０に応答信号をＬＡＮ経由で通知する。これによって、通報者と受付台＃１との間での通話呼が確立する。すると、受付台＃１のＬＣＤ２２の当該回線釦は、通話中表示（連続点灯）になる。一方、他の受付台のＬＣＤ２２では、当該回線釦が黄色点灯状態（他の受付台で受付中）となる。
ところで、受付台＃１の音声ミキシング／分配装置２３の状態は、通報者からの着信に応答する以前では、Ｆｉｇ．５Ａに示すような空き状態となっている。これに対し、オペレータの応答操作（回線釦の押し下げ）が行われると、これに対応する制御情報がＰＣ２１からマイクロコンピュータ４８に与えられる。すると、マイクロコンピュータ４８が、制御情報に基づいて、受付台＃１の送話音声加算部４５に対する受付者のフラグと、受話音声加算部４２およびＨＵＢ音声加算部４７に対する通報者の各フラグとをオンに切り替える（Ｆｉｇ．５Ｂ参照）。これによって、送話音声加算部４５は、フラグの設定にしたがって、受付者の音声データのみを加算（選択及び出力）する状態となる。また、受話音声加算部４２は、通報者の音声データのみを加算（選択及び出力）する状態となる。
したがって、通報者の音声を含む音声パケットがＶｏＩＰゲートウェイ装置１０からＬＡＮ１１を介して受付台＃１のＰＣ２１で受信されると、通報者の音声がＰＣ２１から音声ミキシング／分配装置２３に入力され、ブレスト２４の受話部２４Ａから出力される。一方、ブレスト２４の送話部２４Ｂに入力される受付者の音声は、音声ミキシング／分配装置２３を経てＰＣ２１に入力され、ＰＣ２１で生成された音声パケットがＬＡＮ１１を介してＶｏＩＰゲートウェイ装置１０へ送信され、通報者に伝達される。このようにして、通報者と受付台＃１の受付者との間で通話（音声通信）が行われる（Ｆｉｇ．１；〈Ｅ１〉参照）
また、ＨＵＢ音声加算部４７は、通報者の音声データを音声多重ＨＵＢ装置３０へ送出する状態となる。すなわち、他の受付台でいつでも受付台＃１の通話モニタを開始できるように、受付者と通報者の音声を加算（ミキシング）し音声多重ＨＵＢ装置３０へ出力する。
なお、この例では、ＨＵＢ音声多重部４７に対する受付者のフラグは、常時（空き状態であっても）オンにセットされる。これによって、受付者の音声（送話部２４Ｂからの音声）、音声多重ＨＵＢ装置３０へ常時送出されるように構成されている。
音声多重ＨＵＢ装置３０は、各受付台の音声データを時分割多重したＴＤＭデータを全ての受付台にパラレルに出力する。これによって、受付台＃１の通話音声（通報者および受付者の音声）は、他の受付台に分配される。
〈動作例２〉他の受付台より通話をモニタする場合
動作例２として、上述した受付台＃１における通話を、例えば受付台＃２でモニタ（監視）する場合の動作について説明する。
受付台＃１の受付者は、通報者に適正な情報を与えるために、他の受付台のオペレータに支援（救援）を求める場合には、ＬＣＤ２２の救援要求釦を押す。すると、受付台＃１のＰＣ２１から、救援要求を制御データとして含むパケットがＬＡＮ１１から他の受付台のＰＣ２１へブロードキャストされる。
各他の受付台のＰＣ２１は、パケットに含まれた救援要求に基づいて、ＬＣＤ２２の対応モニタ釦（ここでは、受付台＃１のモニタ釦）を点滅表示する。これによって、他の受付台のオペレータは、受付台＃１のオペレータが支援を求めていることを知ることができる。
ここで、受付台＃２のオペレータが受付台＃１を支援する場合を考える。この場合、受付台＃２のオペレータは、ＬＣＤ２２の対応するモニタ釦（「受付台＃１モニタ」釦）を押下（タッチ）する。すると、タッチされたモニタ釦に応じた操作信号がＰＣ２１に入力され、ＰＣ２１は対応する制御情報を生成してマイクロコンピュータ４８に与える。
すると、マイクロコンピュータ４８は、制御情報に基づいて、受付台＃２の小テーブルにおける受話音声加算部４２に対する受付台＃１のフラグをオンに切り替える（Ｆｉｇ．５Ｃ参照）。これによって、受付台＃２の音声ミキシング／分配装置２３の受話音声加算部４２は、音声多重ＨＵＢ装置３０から受信するＴＤＭデータのうち、受付台＃１に対応するチャネルの音声データを加算しブレスト２４へ出力する。このようにして、受付台＃２のオペレータは、受付台＃１の通話モニタを行うことができる（図１；〈Ｅ２〉参照）。
なお、受付台＃２以外の受付台がモニタを行う場合でも、上述した動作は変わらない。
なお、実施例１では、上述したように、モニタは救援要求を契機として行われるように構成されている。但し、各受付台が救援要求が無くても他台の通話をモニタできるように構成することができる。
〈動作例３〉他の受付台から通話に割り込む場合（受付者側への割込）
動作例３として、受付台＃２のオペレータが受付台＃１での通話に対し、受付者側にのみ割り込む場合の動作について説明する。動作例３に係る機能は、他の受付台からの後方支援等に利用される。
受付台＃２のオペレータは、通話に「扱者割込」を行う場合には、ＬＣＤ２２の「扱者割込」釦を押下する。すると、ＬＣＤ２２から操作信号がＰＣ２１に与えられ、ＰＣ２１は、扱者割込情報を制御データとして含む制御パケットを生成し、ＬＡＮ経由で受付台＃１のＰＣ２１に送信する。
受付台＃１のＰＣ２１は、扱者割込情報を受信すると、音声ミキシング／分配装置２３のマイクロコンピュータ４８に受付台＃２の扱者割込通知を制御情報として与える。
すると、受付台＃１の音声ミキシング／分配装置２３のマイクロコンピュータ４８は、Ｆｉｇ．５Ｄに示すように、扱者割込通知（制御情報）に基づいて、受付台＃１の小テーブルにおける受話音声加算部４２に対する受付台＃２のフラグをオンに切り替える。これによって、受付台＃１の受話音声加算部４２が、音声多重ＨＵＢ装置３０から受信するＴＤＭデータのうち、受付台＃２のチャネルの音声データを加算しブレスト２４へ出力する状態となる。
このようにして、受付台＃２のオペレータは、受付台＃１での通話に対し、受付者側（扱者）のみに割り込むことができる。すなわち、受付台＃２からの割込音声を受付台＃１の受付者のみに伝達することができる。勿論、受付台＃１の受付者は、通報者からの音声を聞くこともできる。
また、受付台＃１のＨＵＢ音声加算部４７は、いつでも通話割込ができるように、ブレスト２４からの送話のみを加算して音声多重ＨＵＢ装置３０に出力する。
なお、動作例３における動作は、受付台＃２以外の受付台が割込を行う場合でも同様に行われる。
〈動作例４〉他の受付台から通話に割り込む場合（両側への割込）
動作例４として、例えば、受付台＃２のオペレータが、受付台＃１の通話の双方側に割り込む場合の動作について説明する。動作例４に係る機能は、通話の内容が緊急を要し、他のオペレータが直接通話に割り込みたい場合等に利用される。
受付台＃３０のオペレータは、通話の双方に割り込みたい場合には、受付台＃２のＬＣＤ２２の「両者割込」釦を押下する。すると、押された釦に対応する操作信号が受付台＃２のＰＣ２１に入力され、ＰＣ２１は、両者割込情報を制御データとして含む制御パケットを生成し、ＬＡＮ経由で受付台＃１のＰＣ２１に送信する。
受付台＃１のＰＣ２１は、両者割込情報を受信すると、受付台＃１の音声ミキシング／分配装置２３に対し、受付台＃２の両者割込通知を制御情報として与える。すると、受付台＃１の音声ミキシング／分配装置２３のマイクロコンピュータ４８は、Ｆｉｇ．５Ｅに示すように、制御情報にしたがって、受付台＃１の小テーブルにおける送話音声加算部４５および受話音声加算部４２のそれぞれに対する受付台＃２のフラグをオンに切り替える。
これによって、受付台＃１の受話音声加算部４２は、音声多重ＨＵＢ装置３０から受信するＴＤＭデータのうち、受付台＃２のチャネルの音声データを加算しブレスト２４へ出力する状態となる。したがって、受付台＃１のブレスト２４の受話部２４Ａからは、通報者の音声と、受付台＃２のオペレータの割込音声とが出力される状態となる。
これと同時に、受付台＃１の送話音声加算部４５は、音声多重ＨＵＢ装置３０から受信するＴＤＭデータのうち、受付台＃２のチャネルの音声データを加算して通報者側（受付台＃１のサウンドカード２１Ａ）へ出力する状態となる。これによって、通報者は、受付台＃１の受付者の音声と、受付台＃２のオペレータの割込音声とを聞くことができる。
なお、Ｆｉｇ．１には、受付台＃３０のオペレータが受付台＃１の通話に両者割込を行った場合における割込音声の経路が〈Ｅ３〉として示されている。
なお、上述した動作例１〜４において、通話、モニタ、割込を終了する場合には、該当する受付台のオペレータは、その受付台のＬＣＤ２２に対して上述した所定の操作（切断操作、モニタ解除操作、割込解除操作）を行う。すると、所定の操作に応じた加算情報がＰＣ２１からマイクロコンピュータ４８に与えられ、マイクロコンピュータ４８が、対応するフラグをオンからオフに切り替える。これによって、フラグのオン時に対応する加算部で行われていた加算処理が停止する。
また、上述した動作例１〜４において、例えば、受付台＃１の受付者は、ＬＡＮ１１および専用回線を通じて出張所に指令を伝達することができる。
〔効果〕
以上説明した実施例１によると、受付システムは、複数の受付台装置２０を持ち、受付台装置２０間で、通話のモニタや通話への割込が可能となっている。このとき、通話モニタ用の音声や割込音声の音声データは、音声多重ＨＵＢ装置（ＴＤＭ）３０に送出され、音声多重ＨＵＢ装置３０で時分割多重され他の受付台装置２０に分配される。
一方、モニタや割込に係る制御データは、通話に係る音声パケットを伝送するための各受付台装置とＶｏＩＰゲートウェイ装置１０とを結ぶＬＡＮを介して受付台装置間で送受信される。
このような構成により、モニタや割込用の音声がＬＡＮ上を伝送されないので、ＬＡＮ上のパケットデータ量を抑えることができ、ＬＡＮ上のトラフィックを円滑な状態に保つことができる。したがって、輻輳の発生が抑えられる。これによって、パケットの遅延を回避することができる。このため、通報者からの着信通知等の呼制御に係る通信や、応答を行った受付台と通報者との間の音声データ通信等を、適正に行うことができる。
また、モニタや割込用の音声データは、ＶｏＩＰ処理（圧縮符号化、パケット化）されることなく他の受付台装置２０へ分配される。したがって、ＶｏＩＰ処理による音声の遅延や揺らぎを回避することができる。これによって、隣接する受付台において、一方の受付台でオペレータが発した生の音声が他方の受付台においてブレスト２４から遅れて聞こえることによる聞き取りにくさを解消することができる。
また、実施例１に係る受付システムは、以下の利点を持つ。
（１）コスト
実施例１に係る通報受付システムは、交換機を用いない。このため、システムの構築に必要な機器のコストを抑えることができる。また、Ｆｉｇ．１０に示したような従来技術と異なり、指令センタと各出張所間をつなぐ指令回線を音声系と制御データ系とが統合された１回線で構成することができる。したがって、回線の通信費を抑えることが出来る。
（２）大きさ
実施例１に係る通報受付システムでは、交換機を用いない。このため、システムがコンパクト（小型化）になる。また、ＶｏＩＰゲートウェイ装置１０と各ＰＣ２１間は、ＬＡＮケーブルを介したモジュラ接続で構成することができる。したがって、ＭＤＦが不要となるので、ＭＤＦの収容スペースも削減することができる。
（３）性能
実施例１に係る通報受付システムは、上述した交換機を用いないＩＰシステムとして構成されている。このような構成でも、上述したような音声の遅延による弊害を回避することができる。また、後述するように、遠隔での後方支援も可能となる。
【実施例２】  Ｆｉｇ．６は、実施例２を示すシステム構成図である。Ｆｉｇ．６には、各地方のコールセンタ（Ｆｉｇ．６には１つだけ例示）と遠隔アドバイスセンタとを含む受付システムが示されている。Ｆｉｇ．６において、コールセンタにおける構成は、Ｆｉｇ．１に示した指令センタと同様の構成を持つ。
すなわち、コールセンタは、キャリア網（電話網）に接続されたＶｏＩＰゲートウェイ装置１０と、複数（ｎ個）の受付台装置２０（Ｆｉｇ．６には、２つの受付台装置２０を例示）と、音声多重ＨＵＢ装置３０とを含む。各受付台装置２０は、コールセンタ内のＬＡＮ１１を介してＶｏＩＰゲートウェイ装置１０に接続されるＰＣ２１と、ＰＣ２１に接続されるＬＣＤ２２および音声ミキシング／分配装置２３と、音声ミキシング／分配装置２３に接続されるブレスト２４とを含む。各音声ミキシング／分配装置２３は、音声多重ＨＵＢ装置３０に接続されている。
遠隔アドバイスセンタは、ＶｏＩＰゲートウェイ装置１０がない点を除き、コールセンタと同様の構成を有している。すなわち、アドバイスセンタ内のＬＡＮ１１１を介して接続される１以上の受付台装置２０Ａと、音声多重ＨＵＢ装置３０Ａとを含む。受付台装置２０Ａは、受付台装置２０と同様に、ＬＡＮ１１１に接続されるＰＣ２１Ａと、ＰＣ２１Ａに接続されるＬＣＤ２２Ａおよび音声ミキシング／分配装置２３Ａと、音声ミキシング／分配装置２３Ａに接続されるブレスト２４とを備え、音声ミキシング／分配装置２３Ａは、音声多重ＨＵＢ装置３０Ａに接続されている。
Ｆｉｇ．６における各受付台装置２０および２０Ａの機能は、Ｆｉｇ．１に示した受付台装置２０とほぼ同様であるので、詳細な説明は省略する。但し、Ｆｉｇ．６に示すシステムは、次の点でＦｉｇ．１に示したシステムと異なる。
第１に、コールセンタにおけるＬＡＮ１１と、アドバイスセンタにおけるＬＡＮ１１１とは、それぞれルータ１２，１１２を収容しており、これらのルータ１２，１１２は、例えばＡＤＳＬ（データ系）回線を介して接続されている。これによって、アドバイスセンタにおける各ＰＣ２１Ａは、コールセンタの各ＰＣ２１との間で、パケットを送受信することができる。例えば、アドバイスセンタの各ＰＣ２１は、対応するＬＣＤ２２の操作に応じて、割込に係る制御パケットをＬＡＮ１１１を介してコールセンタ内の所望のＰＣ２１へ送信することができる。
一方、コールセンタにおける音声多重ＨＵＢ装置３０とアドバイスセンタにおける音声多重ＨＵＢ装置３０Ａとは、アナログ回線（例えばアナログ系のＡＤＳＬ回線）で結ばれている。各音声多重ＨＵＢ装置３０および３０Ａは、コールセンタおよびアドバイスセンタにおける全ての受付台の音声データが時分割多重されたＴＤＭデータを自身が収容する各音声ミキシング／分配装置２３（２３Ａ）に分配可能に構成されている。
すなわち、Ｆｉｇ．７に示すように、実施例２における音声多重ＨＵＢ装置３０は、アナログ回線が接続される電話機インターフェイス３３を持ち、音声多重部３１からのＴＤＭデータが電話機インターフェイス３３を介してアナログ回線に送出され、音声多重ＨＵＢ装置３０Ａに送信される。
一方、音声多重ＨＵＢ装置３０ＡからのＴＤＭデータは、電話機インターフェイス３３を介して音声多重部３１に入力されるように構成されている。そして、音声多重ＨＵＢ装置３０は、アドバイスセンタにおける各受付台に対応するチャネル（タイムスロット）をさらに用意しており、音声多重ＨＵＢ装置３０ＡからのＴＤＭデータは、音声多重ＨＵＢ装置３０のＴＤＭデータに含まれて、コールセンタ内の各受付台（音声ミキシング／分配装置２３）に並列に渡される。
音声多重ＨＵＢ装置３０Ａは、Ｆｉｇ．７に示した音声多重ＨＵＢ装置３０とほぼ同様の構成を有しており、音声多重ＨＵＢ装置３０から受信されるコールセンタ内の各受付台装置２０からの音声データをアドバイスセンタ内の各受付台装置２０Ａに並列に分配可能に構成されている。
また、各音声ミキシング／分配装置２３のマイクロプロセッサ４８は、ＰＣ２１からの制御データ（加算情報）にしたがって、音声多重ＨＵＢ装置３０から受信される各受付台＃１，＃２，＃３１および＃３２の音声データに対する各加算部４２，４５の加算／非加算（加算処理の実行／非実行）を、加算部毎に且つ受付台毎に制御可能に構成されている。
また、各音声ミキシング／分配装置２３Ａのマイクロプロセッサ４８は、ＰＣ２１Ａからの制御情報（加算情報）にしたがって、音声多重ＨＵＢ装置３０Ａから受信される各受付台＃１，＃２，＃３１，＃３２の音声データに対する各加算部４２，４５の加算／非加算を、加算部毎に且つ受付台毎に制御可能に構成されている。
以上の構成によって、アドバイスセンタ内の各受付台のオペレータは、コールセンタにおける所望の受付台における通話をモニタすることができ、また、必要に応じて割込（扱者割込、両者割込）を行うこともできる。
以上のように、実施例２では、コールセンタとアドバイスセンタとをデータ系のＡＤＳＬ回線とアナログ系のＡＤＳＬ回線とを用いて接続し、コールセンタに高度な質問（問い合わせ）が来た場合には、遠隔のアドバイスセンタで後方支援を行う機能を実現する。すなわち、ＡＤＳＬ回線等を利用し、音声系通信（モニタや割込に係る音声データの送受信）は、音声多重ＨＵＢ装置３０と３０Ａとを結ぶアナログ回線を用いて行う。一方、制御系通信（モニタや割込等に係る制御データの送受信）は、ＰＣ２１と２１Ａとを結ぶデータ系回線（ＬＡＮ１１，ルータ１２，ＡＤＳＬ回線，ルータ１１２，ＬＡＮ１１１）を用いて行う。
実施例２の動作例について説明する。Ｆｉｇ．６において、コールセンタにおいて、例えば受付台＃１のオペレータが受付者として問い合わせ者との間で通話を行っている場合を仮定する。
このとき、問い合わせ者から高度な質問が来た場合には、受付台＃１の受付者は、ＬＣＤ２２の遠隔救援要求釦を押下する。すると、遠隔救援要求釦に応じた操作信号がＰＣ２１に与えられる。ＰＣ２１は、遠隔救援要求釦を点灯させるとともに、救援要求情報を制御データとして含む制御パケットを生成し、データ系回線（ＬＡＮ１１−ルータ１２−ＡＤＳＬ（データ系）−ルータ１１２−ＬＡＮ１１１）を介してアドバイスセンタ内の各受付台のＰＣ２１Ａに送信する。
制御パケットを受信した各ＰＣ２１Ａは、救援要求をＬＣＤ２２に表示する（例えば、受付台＃１のモニタ釦の点滅）。このとき、救援要求を知らせるブザーをサウンドカードから出力することもできる。
救援要求に対し、アドバイスセンタにおける或る受付台（例えば、受付台＃３１）のオペレータが、応答操作をＬＣＤ２２に対して行う（受付台＃１のモニタ釦を押す）ことを考える。すると、実施例１の動作例２で説明したようなモニタ開始時における受付台装置２０と同様の動作（音声ミキシング／分配装置２３Ａの制御）が受付台＃３１の受付台装置２０Ａで行われる。
これによって、受付台＃３１の音声ミキシング／分配装置２３Ａの受話音声加算部４２は、音声多重ＨＵＢ装置３０Ａから入力される受付台＃１の音声データを加算する状態となる。したがって、受付台＃３１のブレスト２４の受話部２４Ａから、受付台＃１における通話（問い合わせ者および受付者の音声）が出力され、受付台＃３１のオペレータは、通話の内容をモニタすることが可能となる（図６；〈Ｅ４〉参照）。なお、救援要求に対する応答操作により、受付台＃３１によるモニタを示す情報を含むパケットがデータ系回線を介して受付台＃１のＰＣ２１に送信され、ＰＣ２１がこのパケットを受信すると、遠隔救援要求釦を消灯させる。これによって、受付台＃１のオペレータは、遠隔救援要求が受け付けられ、モニタが行われていることを知ることができる。
そして、受付台＃３１のオペレータは、後方支援として、助言（割込音声）を受付台＃１の受付者に与えたり、受付者と問い合わせ者との双方に与えたりする場合には、受付台＃３１のＬＣＤ２２を操作して、所望の割込に係る制御データを含む音声パケットをデータ系の通信回線を介して受付台＃１のＰＣ２１に送信する。
すると、受付台＃１では、動作例３または４に示したような割込に係る音声ミキシング／分配装置２３の制御が行われ、受付台＃３１からの割込音声が、音声多重ＨＵＢ装置３０Ａからアナログ系の回線を介して音声多重ＨＵＢ装置３０に送信され、音声多重ＨＵＢ装置３０から受付台＃１の音声ミキシング／分配装置２３に入力される。このとき、割込が「受付者割込」である場合には、受話音声加算部４２による加算処理によって、割込音声が受付者のみに伝達され、「両者割込」である場合には、受話音声加算部４２および送話音声加算部４５による加算処理によって、割込音声が問い合わせ者および受付者に伝達される。
上記動作を実現するため、コールセンタの各受付台装置２０は、受話音声加算部４２および送話音声加算部４５に対する受付台＃３１および＃３２に対するフラグをも有しており、割込時には、対応するこれらのフラグをオンに設定し、受話音声加算部４２および送話音声加算部４５が割込音声を選択して加算処理を行う。
なお、Ｆｉｇ．６には、両者割込の例として、アドバイスセンタの受付台＃３２におけるオペレータが受付台＃１の通話に対して両者割込を行った場合における割込音声の音声データの伝達経路が示されている（図６；〈Ｅ５〉参照）。
実施例２によれば、コールセンタに対する後方支援をアドバイスセンタが遠隔から行うことができる。勿論、コールセンタでは、Ｆｉｇ．１に示した指令センタにおける受付システムと同様の作用および効果を得ることができる。
【実施例３】  Ｆｉｇ．８は、実施例３を示すシステム構成図である。Ｆｉｇ．８に示す実施例３のシステム構成の大略は、Ｆｉｇ．６に示した実施例２と同様であり、コールセンタに高度な質問等が来た場合に、アドバイスセンタが後方支援を行うことを可能とする。但し、次の点で実施例２と異なっている。
Ｆｉｇ．８に示すように、コールセンタとアドバイスセンタとの間は、各センタのルータ１２−ルータ１１２間が専用線等で接続されることによって結ばれている。専用線は、データ系回線とＶｏＩＰ（音声パケット回線）とが統合された回線である。また、各センタの音声多重ＨＵＢ装置は、実施例１で説明した音声多重ＨＵＢ装置３０が適用されており、実施例２のように、音声多重ＨＵＢ装置間はアナログ回線で結ばれていない。
実施例３では、アドバイスセンタにおける１以上の受付台（Ｆｉｇ．８では、二つの受付台＃３１および＃３２を例示）におけるコールセンタ内の通話のモニタや割込に係る音声の通信は、コールセンタとアドバイスセンタとを結ぶデータ系回線（コールセンタのＬＡＮ１１−ルータ１２−専用線−ルータ１１２−アドバイスセンタのＬＡＮ１１１）を用いたＶｏＩＰ通信（音声パケット通信）で行う。
このため、実施例３における各受付台装置２０は、Ｆｉｇ．９に示すような構成を持つ。Ｆｉｇ．９は、実施例３における受付台装置３０の構成例を示す図である。
Ｆｉｇ．９に示す受付台装置２０は、Ｆｉｇ．２に示した受付台装置２０と次のように異なっている。すなわち、ＰＣ２１は、アドバイスセンタの受付台装置２０Ａとの間で送受信される音声パケットに係る音声用のサウンドカード１２１Ａを備えている。
また、音声ミキシング／分配装置２３は、Ｆｉｇ．１に示した構成要素に加えて、サウンドカード１２１Ａの音声出力部にインターフェイスを介して接続されるＡ／Ｄ変換部（ＰＣＭコーデック）１４１と、Ａ／Ｄ変換部１４１に接続される第２受話音声加算部１４２と、第２受話音声加算部１４２に接続されるとともに、ブレスト２４の受話部２４Ａにインターフェイスを介して接続されるＡ／Ｄ変換部（ＰＣＭコーデック）１４３と、ブレスト２４の送話部２４Ｂにインターフェイスを介して接続されるＡ／Ｄ変換部（ＰＣＭコーデック）１４４と、Ａ／Ｄ変換部１４４に接続される第２送話音声加算部１４５と、第２送話音声加算部１４５に接続されるとともに、サウンドカード１２１Ａの音声入力部にインターフェイスを介して接続されるＡ／Ｄ変換部（ＰＣＭコーデック）１４６とを備えている。
各Ａ／Ｄ変換部１４１，１４３，１４４，１４６の各機能は、各Ａ／Ｄ変換部４１，４３，４４，４６と同様である。また、第２受話音声加算部１４２および第２送話音声加算部１４５のそれぞれは、マイクロコンピュータ４８と制御線を介して接続されており、自身に入力される音声データをマイクロコンピュータ４８による制御にしたがって選択・出力する点で、受話音声加算部４２および送話音声加算部４５と同様の構成を持つ。
また、第２送話音声加算部４５は、Ａ／Ｄ変換部４１から音声データを受け取るように構成されている。また、送話音声加算部４５は、Ａ／Ｄ変換部１４１から音声データを受け取るように構成されている。
実施例３における動作例は、次の通りである。コールセンタにおいて、或る受付台（例えば、受付台＃１）のオペレータ（受付者）が問い合わせ者との間で通話を行っており、受付者が問い合わせ者から高度な質問を受け取った場合を仮定する。
この場合には、受付者は、ＬＣＤ２２の遠隔救援要求釦を押す。すると、受付台＃１のＰＣ２１が救援要求に係る制御データを含むパケットを生成し、上記したデータ系回線を用いてアドバイスセンタの各受付台＃３１，＃３２のＰＣ２１Ａに送信する。
各ＰＣ２１Ａは、ＬＣＤ２２Ａに遠隔救援要求を表示する。各受付台＃３１，＃３２のオペレータは、ＬＣＤ２２Ａの操作により当該救援要求に応答することができる。このとき、例えば、受付台＃３１のオペレータが応答した場合を仮定する。
すると、受付台＃３１のＰＣ２１Ａは、受付台＃１の通話のモニタを示す制御データを含むパケットを受付台＃１のＰＣ２１へデータ系回線を通じて送信する。ＰＣ２１は、パケットを受信すると、音声ミキシング／分配装置４３のマイクロコンピュータ４８に対し、モニタに係る制御情報を与える。
マイクロコンピュータ４８は、制御情報にしたがって、次のような制御を行う。すなわち、マイクロコンピュータ４８は、第２送話音声加算部４５に対し、受付者の音声データ，および問い合わせ者の音声データを加算処理（選択および出力）するような設定を施す。
上記設定によって、サウンドカード２１Ａから出力される問い合わせ者の音声は、Ａ／Ｄ変換部４１，受話音声加算部４２，Ａ／Ｄ変換部４３を経てブレスト２４の受話部２４Ａから出力される。このとき、Ａ／Ｄ変換部４１から出力された音声データは、第２送話音声加算部１４５にも入力される。第２送話音声加算部１４５は上記設定にしたがって、入力された音声データをＡ／Ｄ変換部１４６へ出力する。出力された音声データは、Ａ／Ｄ変換部１４６で音声信号に変換されてサウンドカード１２１Ａに入力される。そして、ＰＣ２１において、サウンドカード１２１Ａに入力された音声を含む音声パケットが生成され、受付台＃３１のＰＣ２１Ａ宛でＬＡＮ１１に送出される。
また、受付台＃１のブレスト２４の送話部２４Ｂから入力される音声は、Ａ／Ｄ変換部４４，送話音声加算部４５，Ａ／Ｄ変換部４６を経てサウンドカード２１Ａに入力され、問い合わせ者に送られる。一方、送話部２４Ｂから入力される音声は、Ａ／Ｄ変換部１４４にも入力され、ここで音声データに変換され、第２送話音声加算部１４５に入力される。第２送話音声加算部１４５は、上記設定にしたがって、入力された音声データをＡ／Ｄ変換部１４６へ出力する。出力された音声データは、Ａ／Ｄ変換部１４６で音声信号に変換されてサウンドカード１２１Ａに入力される。そして、ＰＣ２１において、サウンドカード１２１Ａに入力された音声を含む音声パケットが生成され、受付台＃３１のＰＣ２１Ａ宛でＬＡＮ１１に送出される。
以上のようにして、受付台＃１の通話がモニタされる場合には、その受付台装置２０において、通話音声（問い合わせ者の音声および／または受付者の音声）を含む音声パケットが生成され、アドバイスセンタにおける救援（支援）元の受付台のＰＣ２１Ａ（受付台＃３１のＰＣ２１Ａ）へ送信される。
受付台＃３１の受付台装置２０Ａは、音声パケットを受信し、これに含まれた音声をブレスト２４の受話部２４Ａから出力する。これによって、受付台＃３１のオペレータは、モニタ対象の通話を聞くことができる。
その後、受付台＃３１のオペレータ（支援者）は、受付者割込または両者割込を行う場合には、ＬＣＤ２２Ａの対応釦を押す。すると、受付台＃３１のＰＣ２１Ａが、割込情報（受付者割込情報または両者割込情報）を制御データとして含むパケットを生成し、データ系回線を介して受付台＃１のＰＣ２１宛に送信する。
受付台＃１のＰＣ２１は、パケットを受信すると、これに含まれた割込情報を制御情報として音声ミキシング／分配装置２３のマイクロコンピュータ４８に与える。マイクロコンピュータ４８は、割込情報に基づいて次に示す制御を行う。すなわち、マイクロコンピュータ４８は、第２受話音声加算部１４２に対し、支援者の音声データ（受付台＃３１の音声データ）を加算（選択および出力）する設定を施す。このとき、割込情報が両者割込情報であれば、マイクロコンピュータ４８は、送話音声加算部４５に対し、支援者の音声データ（受付台＃３１の音声データ）を加算（選択および出力）する設定を施す。
その後、受付台＃３１において、ブレスト２４の送話部２４Ｂから支援者の音声（割込音声）が入力されると、ＰＣ２１Ａにおいて割込音声を含む音声パケットが生成され、データ系回線を通じて受付台＃１のＰＣ２１へ送信される。ＰＣ２１は、例えば、音声パケットの送信元アドレスからこの音声パケットが割込音声のパケットであることを認識し、音声パケットに含まれた割込音声をサウンドカード１２１Ａに渡す。サウンドカード１２１Ａは、割込音声を音声ミキシング／分配装置２３のＡ／Ｄ変換部１４１に渡す。
すると、割込音声は、Ａ／Ｄ変換部１４１，第２受話音声加算部１４２，Ａ／Ｄ変換部１４３を経てブレスト２４の受話部２４Ａから出力される。このようにして、受付者割込が実現される。
ところで、Ａ／Ｄ変換部１４１から出力される割込音声の音声データは、第２受話音声加算部１４２に入力されるとともに、送話音声加算部４５にも入力される。このとき、割込が両者割込であれば、送話音声加算部４５は、自身に施されている設定にしたがって割込音声の音声データを加算し、Ａ／Ｄ変換部４６に出力する。これに対し、割込が受付者割込であれば、送話音声加算部４５には割込音声の音声データを加算する設定が施されていない。このため、送話音声加算部４５は、割込音声の音声データをＡ／Ｄ変換部４６に出力しない。
Ａ／Ｄ変換部４６に入力された割込音声の音声データは、音声信号に変換されサウンドカード２１Ａに入力される。そして、ＰＣ２１が割込音声を含む音声パケットを生成してＶｏＩＰゲートウェイ装置１０（問い合わせ者）に送信する。このようにして、両者割込が実現される。
なお、Ｆｉｇ．８には、両者割込の例として、アドバイスセンタの受付台＃３２におけるオペレータ（支援者）が受付台＃１の通話に対して両者割込を行った場合における割込音声の伝達経路が示されている。
実施例３によれば、コールセンタに対する後方支援をアドバイスセンタが遠隔から行うことができる。勿論、コールセンタでは、Ｆｉｇ．１に示した指令センタにおける受付システムと同様の効果を得ることができる。
実施例３は、実施例２と異なり、音声データ用のアナログ回線が不要となる。このため、Ｆｉｇ．７に示したような音声多重ＨＵＢ装置３０の変形は不要となる。但し、実施例３では、モニタおよび割込に係る音声データがデータ系回線（ＬＡＮ）上を転送される。このため、実施例２よりもコールセンタのＬＡＮ上のトラフィックが増加することが考えられる。もっとも、後方支援に係るモニタや割込は、定常的に行われるものではない。したがって、ＬＡＮ上のトラフィックの増加は、一時的なものにとどまる。
また、モニタ用の音声がデータ系回線を通じて遠隔の受付台に伝送される構成となっているが、音声の宛先は遠隔地であるので、実施例１で説明したような音声の遅延や揺らぎによる弊害はない。
なお、本発明は、次のように特定することもできる。
（１）  第１音声データ（例えば、問い合わせ者の音声）と、第２音声データ（例えば、他の受付台からの音声）とのうちの少なくとも一方を選択して出力する第１出力手段（例えば、受話音声加算部）と、第３音声データ（例えば、受付者の音声）と第２音声データとのうちの少なくとも一方を選択して出力する第２出力手段（例えば、送話音声加算部）と、第１音声データと第２音声データとの少なくとも一方を選択して出力する第３出力手段（例えば、ＨＵＢ音声加算部）と、前記第１、第２、第３出力手段の選択および出力動作を制御する制御手段（例えば、マイクロコンピュータ）とを備える音声選択出力装置。
（２）  前記第１および第２出力手段は、時分割多重された複数の第３音声データのうちの少なくとも一つを選択して出力する上記（１）記載の音声選択出力装置。
（３）  前記第１および第２出力手段は、複数の音声選択出力装置の第３出力手段からそれぞれ出力される第１および／または第２音声データを第３音声データとして時分割多重する時分割多重装置（例えば、音声多重ＨＵＢ装置）から時分割多重された複数の第３音声データを受け取る上記（２）記載の音声選択出力装置。
（４）  第１音声データと、第３音声データとの少なくとも一方を選択して出力可能な第４出力手段（例えば、第２送話音声加算部）をさらに備え、前記制御手段は前記第４出力手段の選択および出力動作を制御する上記（１）〜（３）のいずれかに記載の音声選択出力装置。
（５）  第４音声データ（例えば、遠隔の支援者の音声）を選択して出力可能な第５出力手段（例えば、第２受話音声加算部）をさらに備え、前記第２出力手段は、さらに第４音声データを選択して出力可能であり、前記制御手段は、前記第４および第５出力手段の選択および出力動作を制御する上記（４）記載の音声選択出力装置。
【産業上の利用可能性】  本発明は、警察や消防等の電話による緊急通報の受付システム、問い合わせ者からの電話質問を受け付けるコールセンタ，住民等からの質問をうけつける自治体ネットワーク等の、電話等の音声による問い合わせを受け付ける様々な受付システムに適用可能である。
【図１】
2004075520.tif 000003
【図２】
2004075520.tif 000004
【図３】
2004075520.tif 000005
【図４】
2004075520.tif 000006
2004075520.tif 000007
2004075520.tif 000008
2004075520.tif 000009
2004075520.tif 000010
2004075520.tif 000011
【図６】
2004075520.tif 000012
【図７】
2004075520.tif 000013
【図８】
2004075520.tif 000014
【図９】
2004075520.tif 000015
【図１０】
2004075520.tif 000016
【図１１】
2004075520.tif 000017
【国際調査報告】
2004075520.tif 000018
2004075520.tif 000019
2004075520.tif 000020